(57)【要約】【課題】冷却ファンに経年劣化を生じた場合でも装置内部の温度上昇を未然に防止し、光源ランプを確実に保護する。【解決手段】光源ランプ18と、入力された画像信号に対応した画像を上記光源ランプからの光により投影するマイクロミラー表示素子28、投影レンズ45を含む投影系と、光源ランプ18を冷却する冷却風を発生する冷却ファン87と、この冷却ファン87の累積運転時間を計時し、その計時値が所定値となった時点で光源ランプ18への通電を停止する制御部80とを備える。【選択図】      図４
2007093880.tif 000002
【特許請求の範囲】
【請求項１】
光源ランプと、
入力された画像信号に対応した画像を上記光源ランプからの光により投影する投影手段と、
上記光源ランプを冷却する冷却風を発生する冷却ファンと、
この冷却ファンの累積運転時間を計時する計時手段と、
この計時手段での計時値が所定値となった時点で上記光源ランプへの通電を停止する制御手段と
を具備したことを特徴とする投影装置。
【請求項２】
上記制御手段は、計時手段での計時値が第１の所定値となった時点で上記冷却ファンへの駆動電圧を昇圧設定し、第１の所定値より大きい第２の所定値となった時点で上記光源ランプへの通電を停止することを特徴とする請求項１記載の投影装置。
【請求項３】
光源ランプと、
入力された画像信号に対応した画像を上記光源ランプからの光により投影する投影手段と、
上記光源ランプを冷却する冷却風を発生する冷却ファンと、
この冷却ファンの回転数を計測する回転数計測手段と、
この回転数計測手段での計測値が所定値以下となった時点で上記冷却ファンへの供給電圧を一定値分昇圧する制御手段と
を具備したことを特徴とする投影装置。
【請求項４】
光源ランプと、
入力された画像信号に対応した画像を上記光源ランプからの光により投影する投影手段と、
上記光源ランプを冷却する冷却風を発生する冷却ファンと、
上記光源ランプの温度を計測する温度計測手段と、
この温度計測手段での計測値が所定値以下となった時点で上記冷却ファンへの供給電圧を一定値分昇圧する制御手段と
を具備したことを特徴とする投影装置。
【請求項５】
上記制御手段は、上記冷却ファンへの供給電圧が予め設定される限界値を超える場合に上記光源ランプへの通電を停止することを特徴とする請求項３または４記載の投影装置。
【請求項６】
上記制御手段は、上記冷却ファンへの供給電圧が予め設定される限界値を超える場合に上記光源ランプの発光輝度が低下するよう駆動制御することを特徴とする請求項３または４記載の投影装置。
【請求項７】
上記冷却ファンは複数からなり、
上記制御手段は、上記複数の冷却ファンを複数のグループに分けて、グループ毎に上記回転数計測手段での計測値に基づく制御と上記温度計測手段での計測値に基づく制御によりそれぞれ冷却ファンへの上記一定値分ずつの供給電圧の昇圧設定を行なう
ことを特徴とする請求項３及び４記載の投影装置。
【請求項８】
入力された画像信号に対応した画像を光源ランプからの光により投影する投影系と、上記光源ランプを冷却する冷却風を発生する冷却ファンとを備えた投影装置の運転制御方法であって、
上記冷却ファンの累積運転時間を計時する計時工程と、
この計時工程での計時値が所定値となった時点で上記光源ランプへの通電を停止する制御工程と
を有したことを特徴とする投影装置の運転制御方法。
【請求項９】
入力された画像信号に対応した画像を光源ランプからの光により投影する投影系と、上記光源ランプを冷却する冷却風を発生する冷却ファンとを備えた投影装置の運転制御方法であって、
上記冷却ファンの回転数を計測する回転数計測工程と、
この回転数計測工程での計測値が所定値以下となった時点で上記冷却ファンへの供給電圧を一定値分昇圧する制御工程と
を有したことを特徴とする投影装置の運転制御方法。
【請求項１０】
入力された画像信号に対応した画像を光源ランプからの光により投影する投影系と、上記光源ランプを冷却する冷却風を発生する冷却ファンとを備えた投影装置の運転制御方法であって、
上記光源ランプの温度を計測する温度計測工程と、
この温度計測工程での計測値が所定値以下となった時点で上記冷却ファンへの供給電圧を一定値分昇圧する制御工程と
を有したことを特徴とする投影装置の運転制御方法。
【請求項１１】
入力された画像信号に対応した画像を光源ランプからの光により投影する投影系と、上記光源ランプを冷却する冷却風を発生する冷却ファンとを備えた投影装置に内蔵されたコンピュータが実行するプログラムであって、
上記冷却ファンの累積運転時間を計時する計時ステップと、
この計時ステップでの計時値が所定値となった時点で上記光源ランプへの通電を停止する制御ステップと
をコンピュータに実行させることを特徴とするプログラム。
【請求項１２】
入力された画像信号に対応した画像を光源ランプからの光により投影する投影系と、上記光源ランプを冷却する冷却風を発生する冷却ファンとを備えた投影装置に内蔵されたコンピュータが実行するプログラムであって、
上記冷却ファンの回転数を計測する回転数計測ステップと、
この回転数計測ステップでの計測値が所定値以下となった時点で上記冷却ファンへの供給電圧を一定値分昇圧する制御ステップと
をコンピュータに実行させることを特徴とするプログラム。
【請求項１３】
入力された画像信号に対応した画像を光源ランプからの光により投影する投影系と、上記光源ランプを冷却する冷却風を発生する冷却ファンとを備えた投影装置に内蔵されたコンピュータが実行するプログラムであって、
上記光源ランプの温度を計測する温度計測ステップと、
この温度計測ステップでの計測値が所定値以下となった時点で上記冷却ファンへの供給電圧を一定値分昇圧する制御ステップと
をコンピュータに実行させることを特徴とするプログラム。
【発明の詳細な説明】
【技術分野】
【０００１】
本発明は、光源に高圧水銀ランプ等の冷却が必要な高温となるランプを使用する投影装置、投影装置の運転制御方法及びプログラムに関する。
【背景技術】
【０００２】
従来よりプロジェクタ装置では、非常に高温となる高圧水銀灯等の光源ランプの劣化防止の目的も含んで、投影動作時のみならず、投影動作後もアフタークーリングと称される、投影を完了し、光源ランプを消灯した後にも複数の冷却ファンを継続して駆動させ、光源ランプを含む筐体内部を充分に冷却することが必要であった。
【０００３】
この種のプロジェクタ装置では、通常の投影時よりも光源ランプへの印加電圧を低減してその発光輝度を抑え、併せて各冷却ファンの動作（回転）速度を抑えることで静音化を図るようにした動作モード（静音モード）を設けるものもある。
【０００４】
例えば、特許文献においても、機器の設定状態に応じた冷却用ファンの回転数制御を行ない、さらに機器の設定変化により冷却用ファンの回転数を上昇させる必要が生じた場合にも使用者に不快感を与えないようにすることを目的とし、機器内部を冷却する冷却用ファンと、この冷却用ファンを駆動するファン駆動手段と、この機器内部の温度を検出する温度検出手段を備え、この温度検出手段にて検出される温度に応じたこの冷却用ファンの回転数制御を行なう投射型表示装置であって、この機器の設定を切り替える複数の設定切替手段と、この設定切替手段が操作されこの機器の設定が変化した際、変化後の機器設定状態に対応して各機器設定状態毎に設定されているファン回転数制御特性を切替え、切替え後のファン回転数制御特性に従いこの冷却用ファンの回転数を制御する噴火手数制御手段とを有するようにした技術が記載されている。（例えば、特許文献１）
【特許文献１】特開２００５−０９９３７９号公報
【発明の開示】
【発明が解決しようとする課題】
【０００５】
しかるに、一般的に使用される冷却用ファンは例外なく、例えば累積運転時間で３０，０００時間程度といったオーダーで経年劣化を生じ、定格の電圧を印加しても規定の回転数に達しなくなるという特性を有している。
【０００６】
したがって、上記特許文献に記載された技術も含め、冷却用ファンの経年劣化を考慮していないプロジェクタ装置では、長年の使用によっていずれは光源ランプを正しく冷却できなくなる事態を生じるもので、その際には冷却が不十分となって高価な光源ランプを劣化させ、その寿命を著しく縮めてしまうことや、場合によっては光源ランプを破裂させてしまうこともあり得る、という不具合があった。
【０００７】
本発明は上記のような実情に鑑みてなされたもので、その目的とするところは、冷却ファンに経年劣化を生じる場合でも装置内部の温度上昇を未然に防止し、光源ランプを確実に保護することが可能な投影装置、投影装置の運転制御方法及びプログラムを提供することにある。
【課題を解決するための手段】
【０００８】
請求項１記載の発明は、光源ランプと、入力された画像信号に対応した画像を上記光源ランプからの光により投影する投影手段と、上記光源ランプを冷却する冷却風を発生する冷却ファンと、この冷却ファンの累積運転時間を計時する計時手段と、この計時手段での計時値が所定値となった時点で上記光源ランプへの通電を停止する制御手段とを具備したことを特徴とする。
【０００９】
請求項２記載の発明は、上記請求項１記載の発明において、上記制御手段は、計時手段での計時値が第１の所定値となった時点で上記冷却ファンへの駆動電圧を昇圧設定し、第１の所定値より大きい第２の所定値となった時点で上記光源ランプへの通電を停止することを特徴とする。
【００１０】
請求項３記載の発明は、光源ランプと、入力された画像信号に対応した画像を上記光源ランプからの光により投影する投影手段と、上記光源ランプを冷却する冷却風を発生する冷却ファンと、この冷却ファンの回転数を計測する回転数計測手段と、この回転数計測手段での計測値が所定値以下となった時点で上記冷却ファンへの供給電圧を一定値分昇圧する制御手段とを具備したことを特徴とする。
【００１１】
請求項４記載の発明は、光源ランプと、入力された画像信号に対応した画像を上記光源ランプからの光により投影する投影手段と、上記光源ランプを冷却する冷却風を発生する冷却ファンと、上記光源ランプの温度を計測する温度計測手段と、この温度計測手段での計測値が所定値以下となった時点で上記冷却ファンへの供給電圧を一定値分昇圧する制御手段とを具備したことを特徴とする。
【００１２】
請求項５記載の発明は、上記請求項３または４記載の発明において、上記制御手段は、上記冷却ファンへの供給電圧が予め設定される限界値を超える場合に上記光源ランプへの通電を停止することを特徴とする。
【００１３】
請求項６記載の発明は、上記請求項３または４記載の発明において、上記制御手段は、上記冷却ファンへの供給電圧が予め設定される限界値を超える場合に上記光源ランプの発光輝度が低下するよう駆動制御することを特徴とする。
【００１４】
請求項７記載の発明は、上記請求項３及び４記載の発明において、上記冷却ファンは複数からなり、上記制御手段は、上記複数の冷却ファンを複数のグループに分けて、グループ毎に上記回転数計測手段での計測値に基づく制御と上記温度計測手段での計測値に基づく制御によりそれぞれ冷却ファンへの上記一定値分ずつの供給電圧の昇圧設定を行なう
ことを特徴とする。
【００１５】
請求項８記載の発明は、入力された画像信号に対応した画像を光源ランプからの光により投影する投影系と、上記光源ランプを冷却する冷却風を発生する冷却ファンとを備えた投影装置の運転制御方法であって、上記冷却ファンの累積運転時間を計時する計時工程と、この計時工程での計時値が所定値となった時点で上記光源ランプへの通電を停止する制御工程とを有したことを特徴とする。
【００１６】
請求項９記載の発明は、入力された画像信号に対応した画像を光源ランプからの光により投影する投影系と、上記光源ランプを冷却する冷却風を発生する冷却ファンとを備えた投影装置の運転制御方法であって、上記冷却ファンの回転数を計測する回転数計測工程と、この回転数計測工程での計測値が所定値以下となった時点で上記冷却ファンへの供給電圧を一定値分昇圧する制御工程とを有したことを特徴とする。
【００１７】
請求項１０記載の発明は、入力された画像信号に対応した画像を光源ランプからの光により投影する投影系と、上記光源ランプを冷却する冷却風を発生する冷却ファンとを備えた投影装置の運転制御方法であって、上記光源ランプの温度を計測する温度計測工程と、この温度計測工程での計測値が所定値以下となった時点で上記冷却ファンへの供給電圧を一定値分昇圧する制御工程とを有したことを特徴とする。
【００１８】
請求項１１記載の発明は、入力された画像信号に対応した画像を光源ランプからの光により投影する投影系と、上記光源ランプを冷却する冷却風を発生する冷却ファンとを備えた投影装置に内蔵されたコンピュータが実行するプログラムであって、上記冷却ファンの累積運転時間を計時する計時ステップと、この計時ステップでの計時値が所定値となった時点で上記光源ランプへの通電を停止する制御ステップとをコンピュータに実行させることを特徴とする。
【００１９】
請求項１２記載の発明は、入力された画像信号に対応した画像を光源ランプからの光により投影する投影系と、上記光源ランプを冷却する冷却風を発生する冷却ファンとを備えた投影装置に内蔵されたコンピュータが実行するプログラムであって、上記冷却ファンの回転数を計測する回転数計測ステップと、この回転数計測ステップでの計測値が所定値以下となった時点で上記冷却ファンへの供給電圧を一定値分昇圧する制御ステップとをコンピュータに実行させることを特徴とする。
【００２０】
請求項１３記載の発明は、入力された画像信号に対応した画像を光源ランプからの光により投影する投影系と、上記光源ランプを冷却する冷却風を発生する冷却ファンとを備えた投影装置に内蔵されたコンピュータが実行するプログラムであって、上記光源ランプの温度を計測する温度計測ステップと、この温度計測ステップでの計測値が所定値以下となった時点で上記冷却ファンへの供給電圧を一定値分昇圧する制御ステップとをコンピュータに実行させることを特徴とする。
【発明の効果】
【００２１】
請求項１記載の発明によれば、冷却ファンに経年劣化を生じた場合でも装置内部の温度上昇を未然に防止し、光源ランプを確実に保護することができる。
【００２２】
請求項２記載の発明によれば、上記請求項１記載の発明の効果に加えて、冷却ファンの軽度の経年劣化にも対処し、冷却ファンがまだ使用可能である状態では順次供給電圧を上げていくことで、多少の騒音は発生するものの最後まで投影動作を続行することができる。
【００２３】
請求項３記載の発明によれば、冷却ファンの回転数を常時モニタリングし、低下が検出された場合には順次冷却ファンへの供給電圧を上げていくことにより、冷却ファンがある程度までの経年劣化を生じた場合でも装置内部の温度上昇を未然に防止し、光源ランプを確実に保護しながら投影動作を続行することができる。
【００２４】
請求項４記載の発明によれば、光源ランプの温度を常時モニタリングし、上昇が検出された場合には順次冷却ファンへの供給電圧を上げていくことにより、冷却ファンがある程度までの経年劣化を生じた場合でも装置内部の温度上昇を未然に防止し、光源ランプを確実に保護しながら投影動作を続行することができる。
【００２５】
請求項５記載の発明によれば、上記請求項３または４記載の発明の効果に加えて、冷却ファンへの供給電圧が予め設定される限界値を超えた場合には、冷却ファンが完全に劣化してしまったものと判断して上記光源ランプへの通電を停止し、光源ランプを確実に保護することができる。
【００２６】
請求項６記載の発明によれば、上記請求項３または４記載の発明の効果に加えて、冷却ファンへの供給電圧が予め設定される限界値を超えた場合には、冷却ファンが完全に劣化してしまったものと判断して上記光源ランプの発光輝度を低下させ、光源ランプで発生される熱量を大幅に低減させることで、光源ランプを保護しながら投影動作を続行することができる。
【００２７】
請求項７記載の発明によれば、上記請求項３及び４記載の発明の効果に加えて、冷却ファン毎の特性等に合わせてよりきめ細かい制御を行なうことにより、冷却ファンに劣化が生じている場合でも、冷却ファンが発生する騒音をできる限り抑えながら、より長い時間に渡って投影動作を続行することができる。
【００２８】
請求項８記載の発明によれば、冷却ファンに経年劣化を生じた場合でも装置内部の温度上昇を未然に防止し、光源ランプを確実に保護することができる。
【００２９】
請求項９記載の発明によれば、冷却ファンの回転数を常時モニタリングし、低下が検出された場合には順次冷却ファンへの供給電圧を上げていくことにより、冷却ファンがある程度までの経年劣化を生じた場合でも装置内部の温度上昇を未然に防止し、光源ランプを確実に保護しながら投影動作を続行させることができる。
【００３０】
請求項１０記載の発明によれば、光源ランプの温度を常時モニタリングし、上昇が検出された場合には順次冷却ファンへの供給電圧を上げていくことにより、冷却ファンがある程度までの経年劣化を生じた場合でも装置内部の温度上昇を未然に防止し、光源ランプを確実に保護しながら投影動作を続行させることができる。
【００３１】
請求項１１記載の発明によれば、冷却ファンに経年劣化を生じた場合でも装置内部の温度上昇を未然に防止し、光源ランプを確実に保護することができる。
【００３２】
請求項１２記載の発明によれば、冷却ファンの回転数を常時モニタリングし、低下が検出された場合には順次冷却ファンへの供給電圧を上げていくことにより、冷却ファンがある程度までの経年劣化を生じた場合でも装置内部の温度上昇を未然に防止し、光源ランプを確実に保護しながら投影動作を続行させることができる。
【００３３】
請求項１３記載の発明によれば、光源ランプの温度を常時モニタリングし、上昇が検出された場合には順次冷却ファンへの供給電圧を上げていくことにより、冷却ファンがある程度までの経年劣化を生じた場合でも装置内部の温度上昇を未然に防止し、光源ランプを確実に保護しながら投影動作を続行させることができる。
【発明を実施するための最良の形態】
【００３４】
（第１の実施の形態）  
以下本発明をプロジェクタ装置に適用した場合の第１の実施の形態について図面を参照して説明する。
【００３５】
図１は、このプロジェクタ装置の使用状態での外観斜視図、図２は上記プロジェクタ装置の横断平面図、図３は図２のIII−III線に沿った縦断面図である。
【００３６】
このプロジェクタ装置は、平面形状が矩形状をなすプロジェクタケース１内に、光源装置１７と、複数の画素が行方向及び列方向にマトリックス状に配列した表示エリアを有し、上記複数の画素に入射した光の出射を制御して画像を表示する表示素子２８と、上記光源装置１７からの出射光を上記表示素子２８に入射させる光源側光学系２９と、上記表示素子２８からの出射光を図示しないスクリーン等の投影面に投影する投影レンズ４５とを配置したものである。
【００３７】
上記プロジェクタケース１は、その両側面及び後面と底面とを構成するケース本体１ａと、上面パネル１ｂと、前面パネル１ｃとからなっており、その後面に、パソコン用のＵＳＢ端子及びカラー画像信号と音声信号の入力端子と、ビデオ信号入力端子と、電源コネクタ（いずれも図示せず）を設け、上面に、電源キー２と、上記光源装置１７の点灯を表示するランプインジケータ３及び上記光源装置１７の過熱を表示する過熱インジケータ４と、自動画質調整キー５及び静音モード設定キー６と、上記電源コネクタを商用電源に接続したスタンバイ状態と上記電源キー２をオンさせたときとで表示色が変化するパワー／スタンバイインジケータ７と、開閉蓋８を開いて操作される各種調整キー（図示せず）と、スピーカ用放音部９を設け、前面に、図示しないリモコン器からの赤外線信号を受けるリモコン受信部１０を設ける。
【００３８】
また、上記プロジェクタケース１の底面には、その後側領域の両側部に配置された左右一対の後足部材１４ａと、前側領域の中央部付近にケース前縁部よりもある程度後方にずらして配置された１つの前足部材１４ｂを設ける。
【００３９】
この後足部材１４ａ及び前足部材１４ｂは、プロジェクタの使用時（投影時）に、上記プロジェクタケース１を、その前側を高くした斜め上向き状態に支持するものであり、一対の後足部材１４ａは、プロジェクタケース１の底部に螺合された図示しないねじ脚の下端に固定されており、前足部材１４ｂは、上記プロジェクタケース１内に設けられた図示しない脚ロック機構に上下方向にスライド可能に保持されたロッド脚１５の下端に固定され、ケース底面からの突出高さを調整可能に設ける。
【００４０】
次に光源装置１７について説明する。この光源装置１７は、図２及び図３に示すように、光源ランプ１８と、光を出射させる開放面を有し、内部に配置された上記光源ランプ１８からの放射光を反射して上記開放面から出射するリフレクタ２１とを備える。
【００４１】
上記光源ランプ１８は、中間部に球状の膨らみ部を有する高圧水銀ランプ等のショートアークランプである。一方のリフレクタ２１は、その軸線上のリフレクタ内の点と上記開放面の前方の点とにそれぞれ焦点を有する楕円面リフレクタで、耐熱ガラス製の本体内面全体に紫外線透過性反射膜を設けており、該開放面の前側に筒状の防爆カバー２５及び防爆ガラス２４を嵌合する。
【００４２】
上記表示素子２８（図２参照）は、カラーフィルタのような入射光を着色する手段を備えない表示素子であり、この実施の形態では、一般にＤＭＤと略称されるマイクロミラー表示素子（Ｄｉｇｉｔａｌ  Ｍｉｃｒｏｍｉｒｒｏｒ  Ｄｅｖｉｃｅ）（登録商標）を用いる。以下、この表示素子２８をマイクロミラー表示素子と言う。
【００４３】
上記マイクロミラー表示素子２８は、その構成は図示しないが、１つ１つの画素をそれぞれ、ＣＭＯＳをベースとするミラー駆動素子によって一方の傾き方向と他方の傾き方向とに傾動されるアレイ状に配列されたマイクロミラーにより形成したものであり、これらのマイクロミラーは、縦横の幅が１０［μｍ］〜２０［μｍ］の極薄金属片（例えばアルミニウム片）からなる。
【００４４】
上記マイクロミラー表示素子２８は、上記プロジェクタケース１内の後部領域の一側部に、その正面方向を上記プロジェクタケース１の前面の一側部に設けられた投影口１１に対向して配置される。
【００４５】
また、上記光源装置１７からの出射光を上記マイクロミラー表示素子２８に入射させる光源側光学系２９は、図２及び図３に示すように上記光源装置１７からの出射光を赤、緑、青の３色に順次着色するためのカラーホイール３０と、上記光源装置１７からの出射光の強度分布を均一にするための導光ロッド３３と、上記カラーホイール３０により着色され、上記導光ロッド３３により強度分布を均一にされた光を上記マイクロミラー表示素子２８の前面に向けて投射する前後２つの光源側レンズ３４，３５及びミラー３７とからなる。
【００４６】
上記カラーホイール３０は、扇状の赤、緑、青の３色のカラーフィルタが周方向に並べて設けられた回転板からなり、カラーホイール回転モータ３２の回転軸に固定され、ホイール周方向の一部を上記光源装置１７からの出射光の光路に介在させて配置されて、上記モータ３２により上記３色のカラーフィルタが上記光源装置１７からの出射光の光路を順次横切るように高速で回転駆動される。
【００４７】
上記導光ロッド３３は、上記マイクロミラー表示素子２８の複数の画素がマトリックス状に配列している表示エリアの外形と相似な断面形状を有し、内周面全体に反射膜が設けられた角筒状体からなり、その一端に光を入射させる入射面が形成され、他端に上記入射面から入射した光の出射面が形成されて、上記入射面から入射した光をロッド内周面の反射膜により反射しながら導いて上記出射面から均一な強度分布の光を出射する。
【００４８】
上記光源側レンズ３４，３５は、上記導光ロッド３３の出射側に配置されたレンズ支持筒３６内に配置される。
【００４９】
上記光源装置１７のリフレクタ２１と、上記光源側光学系２９のカラーホイール回転モータ３２と、上記導光ロッド３３と光源側レンズ３４，３５を支持したレンズ支持筒３６は、両端が開放する光源側ハウジング３８内に所定の位置関係で固定される。
【００５０】
上記光源側光学系２９のミラー３７は平面鏡でなる。このミラー３７は、一側面と後面及び前面に開口４０，４１，４２を有し、一側面の開口４０内に上記レンズ支持筒３６の出射端を挿入し、後面の開口４１を上記マイクロミラー表示素子２８に対向させて上記プロジェクタケース１内に設置されたミラーハウジング３９内に、上記マイクロミラー表示素子２８の正面方向領域を挟んで上記レンズ支持筒３６の出射端と対向させて、上記光源装置１７から出射し、上記カラーホイール３０と導光ロッド３３と光源側レンズ３４，３５とを透過した光を上記マイクロミラー表示素子２８に向けて反射し、その反射光を上記マイクロミラー表示素子２８にその正面方向に対して一方の方向に傾いた方向から投射するように配置する。
【００５１】
上記マイクロミラー表示素子２８の前面には、このマイクロミラー表示素子２８を保護するカバーガラス４３が配置され、その前面側に、上記ミラーハウジング３９の後面の開口に設けられ、上記光源装置１７から出射し、上記光源側光学系２９によりマイクロミラー表示素子２８に投射された光を上記マイクロミラー表示素子２８の正面方向に対して所定角度傾いた方向に沿う平行光に補正して上記マイクロミラー表示素子２８に入射させ、上記マイクロミラー表示素子２８から出射した画像光を集光させて投影レンズ４５に入射させる中継レンズ４４を配置する。
【００５２】
この中継レンズ４４は、上記光源側光学系２９からの投射光のうち、中継レンズ面で表面反射した光を、上記投影レンズ４５による投影方向以外の方向に出射するもので、その有効領域は、円形レンズのうちの上記マイクロミラー表示素子２８の表示エリアに対応する部分であり、他の部分は非有効領域であるため、この実施の形態では、円形レンズから上記非有効領域を切り落とした形状とする。
【００５３】
上記投影レンズ４５は、入射側固定鏡筒４６と、この固定鏡筒４６に係合され、回転操作により軸方向に進退移動される出射側可動鏡筒４７とを備え、これらの鏡筒４６，４７内にそれぞれ複数枚のレンズ素子を組合わせて構成されたレンズ群４８，４９を設けた可変焦点レンズであり、この固定鏡筒４６の入射端を上記中継レンズ４４を介して上記マイクロミラー表示素子２８に対向させ、上記可動鏡筒４７の出射端をプロジェクタケース１の前面の一側部に設けられた投影口１１に移動可能に嵌装して上記プロジェクタケース１内に配置する。
【００５４】
なお、上記プロジェクタケース１の投影レンズ配置側の側面には、上記投影レンズ４５の可動鏡筒４７を手動により回転させて軸方向に移動させ、上記投影レンズ４５の焦点調整を行なうための開口５０が設けられる。
【００５５】
また、上記プロジェクタケース１内には、プロジェクタケース１の後面に設けられた図示しないＵＳＢ端子、カラー画像信号及び音声信号の入力端子、ビデオ信号入力端子に接続された表示／音声系回路基板５１が、プロジェクタケース１の後面部と上記光源側ハウジング３８との間に立設状態で配置されており、この回路基板５１に、上記マイクロミラー表示素子２８と、上記プロジェクタケース１内の上面部にスピーカ用放音部９に対向させて配置されたスピーカ（図示せず）が接続される。
【００５６】
さらに、上記プロジェクタケース１内の上記光源側ハウジング３８の前側のスペースには、プロジェクタケース１の後面に設けられた図示しない電源コネクタに接続された電源系回路基板５２が水平に配置されており、この回路基板５２に、上記光源装置１７の光源ランプ１８が図示しないリード線を介して接続され、また上記カラーホイール回転モータ３２も図示しないリード線を介して接続される。
【００５７】
また、上記プロジェクタケース１内には、その上面部と光源側ハウジング３８及びミラーハウジング３９との間に、プロジェクタ制御回路基板５４が水平に配置されており、この制御回路基板５４に、上記表示／音声系回路基板５１及び電源系回路基板５２と、プロジェクタケース１の上面に設けられたランプインジケータ３及び過熱インジケータ４と、自動画質調整キー５及び静音モード設定キー６と、パワー／スタンバイインジケータ７と、開閉蓋８を開いて操作される各種調整キーと、プロジェクタケース１内にその前面のリモコン受信部１０に対向させて設けられた図示しない受信素子と、上記光源側ハウジング３８内にリフレクタ２１の近傍に位置させて配置された、ここでは図示しないが後述する光源温度測定センサ７８が接続される。
【００５８】
さらに、上記プロジェクタケース１の底面と、上記投影レンズ４５が配置された側の側面、及び後面には、それぞれ、プロジェクタケース１内を空冷するための複数の長孔状吸気孔５５，５６，５７が設けられる。
【００５９】
なお、上記光源側ハウジング３８と電源系回路基板５２は、プロジェクタケース１の底面部との間に通風空間を確保して配置されており、ケース底面の複数の吸気孔５５は、上記光源側ハウジング３８及び電源系回路基板５２の下側に設けられる。
【００６０】
また、上記投影レンズ４５は、プロジェクタケース１の側面部との間に通風空間を確保して配置されており、ケース側面の複数の吸気孔５６は、上記ケース側面の投影レンズ焦点調整用開口５０よりも後側の部分の略全域にわたって設けられる。
【００６１】
さらに、上記表示／音声系回路基板５１は、プロジェクタケース１の上面部との間に通風空間を確保して配置されており、ケース後面の複数の吸気孔５７は、上記マイクロミラー表示素子２８の配置部に対応する部分に設けられる。
【００６２】
上記ケース底面の複数の吸気孔５５のうち、上記電源系回路基板５２の下側に設けられた吸気孔（図示せず）と、ケース右側面の吸気孔５６は自然吸気孔、上記ケース底面の光源側ハウジング３８の下側の部分に設けられた吸気孔５５と、ケース後面のマイクロミラー表示素子２８の配置部に対応する部分に設けられた吸気孔５７は強制吸気孔であり、上記プロジェクタケース１内には、上記強制吸気孔５５，５７にそれぞれ対向させて吸気ファン５８，５９が配置される。
【００６３】
また、上記プロジェクタケース１の光源装置１７が配置された左側の側面には、その略全体にわたって複数の長孔状排気孔６１が設けられる。
【００６４】
なお、上記プロジェクタケース１の光源装置１７が配置された側の側面は、嵌め込みパネル６０により構成されており、この嵌め込みパネル６０の略全域に上記複数の排気孔６１が設けられる。
【００６５】
これらの排気孔６１はいずれも強制排気孔であり、上記プロジェクタケース１内には、上記排気孔６１の形成領域、つまり上記嵌め込みパネル６０の略全域に対応させて、複数台、例えば３台の大風力排気ファン６２，６３，６４が配置される。
【００６６】
そして、上記吸気ファン５８，５９及び排気ファン６２，６３，６４は、上記電源系回路基板５２に接続される。
【００６７】
また、上記プロジェクタケース１の上面パネル１ｂ下面には、上記プロジェクタ制御回路基板５４と平行にして水平に延在した複数の放熱フィン６６が直接配設される。これら放熱フィン６６は、上記上記吸気ファン５８，５９及び排気ファン６２，６３，６４の回転駆動に伴う冷却風Ｗの流れに沿って、図３中では左右の方向に延在するように複数が同一間隔で並列配置され、上面パネル１ｂを介して（特にプロジェクタ直上部の）外気とプロジェクタ内を流れる冷却風Ｗとの間での熱交換を促進し、該冷却風Ｗを冷却する。
【００６８】
このプロジェクタは、光源装置１７から光を出射させ、光源側光学系２９のカラーホイール３０を高速で回転駆動させることにより、上記光源装置１７から出射して上記光源側光学系２９に入射した光を、上記カラーホイール３０により赤、緑、青の３色に順次着色し、さらに上記導光ロッド３３により強度分布を均一にして、上記光源側レンズ３４，３５及びミラー３７によりマイクロミラー表示素子２８に向けて投射するとともに、上記赤、緑、青の光の投射周期に同期させて上記マイクロミラー表示素子２８に赤、緑、青の単色画像データを順次書込むことにより、上記マイクロミラー表示素子２８に赤、緑、青の単色画像を順次表示させ、上記マイクロミラー表示素子２８から順次出射する赤、緑、青の単色画像光を、投影レンズ４５により拡大して投影面に投影するものであり、上記投影面に、赤、緑、青の３色の単色画像が重なって視覚上はフルカラー画像を表示する。
【００６９】
なお、このプロジェクタは、電源キー２の操作で電源をオンさせて使用されるものであり、電源をオンさせた時点で上記光源装置１７の光源ランプ１８が点灯し、上記カラーホイール３０が回転駆動されてマイクロミラー表示素子２８に赤、緑、青の光が順次投射され、上記マイクロミラー表示素子２８から順次出射する赤、緑、青の光が投影レンズ４５により投影されるとともに、上記吸気ファン５８，５９及び排気ファン６２，６３，６４が駆動され、プロジェクタケース１内の空冷が開始される。
【００７０】
また、上記投影レンズ４５による投影方向を投影面に合わせるプロジェクタケース１の姿勢調整は、上記赤、緑、青の光を投影レンズ４５により投影させた状態で前足部材１４ｂの突出高さを調整することにより行なわれる。
【００７１】
なお、パソコンからの画像信号またはビデオ信号が入力されないときは、上記マイクロミラー表示素子２８の表示エリア全体からフル階調で赤、緑、青の光が順次出射し、その光が投影レンズ４５により投影される。そのため、このときの投影面の投影領域は視覚上はその全体にわたって白となる。
【００７２】
そして、上記画像信号またはビデオ信号が入力されると、上記マイクロミラー表示素子２８に赤、緑、青の単色画像データが順次書込まれ、上記投影面に赤、緑、青の３色の単色画像が順次投影されてフルカラー画像が表示される。
【００７３】
また、画像投影の終了後は、上記画像信号またはビデオ信号の入力を停止し、電源キー２を操作して電源をオフさせればよく、電源キー２の操作による電源オフで光源装置１７の光源ランプ１８が消灯し、上記カラーホイール３０の回転駆動が停止されるとともに、それからアフタークーリングが完了する一定時間後、または光源温度が一定温度以下になったときに吸気ファン５８，５９及び排気ファン６２，６３，６４の駆動が停止される。
【００７４】
次いで図４を用いて上記プロジェクタ装置の主となる電子回路の機能構成について説明する。  
図中、入出力コネクタ部７１より入力されたＲＧＢビデオ信号を含む各種規格の画像信号が、入出力インタフェース（Ｉ／Ｆ）７２、システムバスＳＢを介して画像変換部７３で所定のフォーマットの画像信号に統一された後に、投影エンコーダ７４へ送られる。
【００７５】
投影エンコーダ７４は、送られてきた画像信号をビデオＲＡＭ７５に展開記憶させた上でこのビデオＲＡＭ７５の記憶内容からビデオ信号を生成して投影処理部７６に出力する。
【００７６】
この投影処理部７６は、送られてきた画像信号に対応して適宜フレームレート、例えば例えば６０［フレーム／秒］と色成分の分割数、及び表示階調数を乗算した、より高速な時分割駆動で上記マイクロミラー表示素子２８を表示駆動する。
【００７７】
このマイクロミラー表示素子２８に対して、リフレクタ２１内に配置された光源ランプ１８が出射する高輝度の白色光を、上記カラーホイール３０を介して適宜原色に着色し、上記導光ロッド３３、ミラー３７等を介して照射することで、その反射光で光像が形成され、上記投影レンズ４５等を介してここでは図示しないスクリーンに投影表示される。
【００７８】
しかるに、光源ランプ１８の点灯駆動、カラーホイール３０を回転駆動するカラーホイール回転モータ（Ｍ）３２はいずれも投影駆動部７７からの供給電圧に基づいて動作する。
【００７９】
この投影駆動部７７はまた、リフレクタ２１の光源ランプ１８近傍に取り付けられた光源温度測定センサ７８からの検知信号を受け、これをデジタル化して制御部８０へ出力する。
【００８０】
上記各回路のすべての動作制御を司るのが制御部８０である。この制御部８０は、ＣＰＵと、後述する投影動作、電源制御動作の処理を含む該ＣＰＵで実行される動作プログラムを記憶したＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）８０ａ、及びワークメモリ等により構成される。
【００８１】
この制御部８０にはまた、システムバスＳＢを介してインジケータ部８１、音声処理部８２、及びファン制御部８３が接続される。
【００８２】
インジケータ部８１は、上記上面パネル１ｂに配設されたランプインジケータ３、過熱インジケータ４、及びパワー／スタンバイインジケータ７でなり、それらを点灯／点滅駆動する。
【００８３】
音声処理部８２は、ＰＣＭ音源等の音源回路を備え、投影動作時に与えられる音声データをアナログ化し、上記ケース本体１ａのスピーカ用放音部９内に設けられたスピーカ８４を駆動して拡声放音し、あるいは必要によりビープ音を発生させる。
【００８４】
また、ファン制御部８３は、上記吸気ファン５８，５９、及び大風力排気ファン６２，６３，６４でなる冷却ファン８７を統括して駆動制御し、それぞれに必要な電力を供給する一方で、各ファン５８，５９，６２〜６４が回転に同期して出力するパルス信号により、それらの回転速度が低下し、あるいは停止しているのを個々に検出する。
【００８５】
なお、このプロジェクタ装置に備えられる上記開閉蓋８を開いての各種調整キー及び上記電源キー２、自動画質調整キー５、静音モード設定キー６でキースイッチ部８５を構成するものであり、このキースイッチ部８５と、Ｉｒ受信部８６からの信号が直接制御部８０へ入力される。
【００８６】
このＩｒ受信部８６は、このプロジェクタ装置の前面に設けられた上記リモコン受信部１０、及び背面にリモコン受信部１０と同様に設けられる図示しないリモコン受信部からなり、その赤外光受信信号をコード信号化して上記制御部８０に送出する。
【００８７】
次に上記実施の形態の動作について説明する。  
図５は、電源キー２の操作により電源をオンしてからの主として冷却ファン８７の運転に関する制御処理の内容を示すもので、その制御動作は制御部８０が予め内部のＥＥＰＲＯＭ８０ａに記憶した動作プログラムに基づいて実行する。
【００８８】
すなわち、電源キー２が操作されると制御部８０は、まずファン制御部８３により冷却ファン８７を構成する吸気ファン５８，５９、及び大風力排気ファン６２，６３，６４をそれぞれ通常運転時の定格電圧を印加して回転駆動させる一方で（ステップＳ０１）、投影駆動部７７により光源ランプ１８をこれも定格電圧を印加して発光駆動させる（ステップＳ０２）。
【００８９】
その後、ＥＥＰＲＯＭ８０ａ内部に予め記憶しておいた、冷却ファン８７の交換時に“０（ゼロ）”となる初期値フラグの内容をチェックし（ステップＳ０３）、その初期値フラグの内容により、この電源キー２を操作しての投影動作が冷却ファン８７を交換してからの初めてのものであるか否かを判断する（ステップＳ０４）。
【００９０】
ここで、初期値フラグの内容により、冷却ファン８７を交換してからの初めての投影動作であると判断した場合にのみ、冷却ファン８７の累積動作時間として初期値「０（ゼロ）」をＥＥＰＲＯＭ８０ａに記憶設定する（ステップＳ０５）。
【００９１】
なお、初期値フラグの内容が、冷却ファン８７を交換してからの初めての投影動作ではないと判断した場合には、すでに冷却ファン８７を交換してからの累積動作時間がＥＥＰＲＯＭ８０ａに設定されていることになるので、このステップＳ０５の処理は行なわない。
【００９２】
その後、冷却ファン８７の累積動作時間を計測してさらにＥＥＰＲＯＭ８０ａに更新した上で（ステップＳ０６）、その更新後の累積動作時間が予め設定されている第１の耐用時間、例えば２５，０００時間を経過したか否か判断し（ステップＳ０７）、経過していなければ再び上記ステップＳ０５からの処理に戻る。
【００９３】
以後、これらステップＳ０５，Ｓ０６の動作を繰返し実行することにより、冷却ファン８７を定格の電圧値で駆動させながら、累積動作時間が第１の耐用時間に達するのを待機する。
【００９４】
しかして、ＥＥＰＲＯＭ８０ａに記憶される累積動作時間が第１の耐用時間を経過するとステップＳ０７でこれを判断し、冷却ファン８７の駆動電圧を一定値分、例えば定格電圧の１０％分上昇させるような調整制御を行なった後（ステップＳ０８）、再び冷却ファン８７の累積動作時間を計測してさらにＥＥＰＲＯＭ８０ａに更新した上で（ステップＳ０９）、その更新後の累積動作時間が予め設定されている上記第１の耐用時間より大きい第２の耐用時間、例えば３０，０００時間を経過したか否か判断し（ステップＳ１０）、経過していなければ再び上記ステップＳ０９からの処理に戻る。
【００９５】
以後、これらステップＳ０９，Ｓ１０の動作を繰返し実行することにより、冷却ファン８７を定格より一定値分だけ高い電圧値で駆動させ、冷却ファン８７自体に経年劣化を生じていた場合でも発生する風量が低下することなく、光源装置１７の光源ランプ１８を確実に冷却させながら、累積動作時間が第２の耐用時間に達するのを待機する。
【００９６】
しかして、ＥＥＰＲＯＭ８０ａに記憶される累積動作時間が第２の耐用時間を経過するとステップＳ１０でこれを判断し、その時点で光源ランプ１８を消灯させて投影動作を停止すると共に（ステップＳ１１）、冷却ファン８７にエラーが生じた旨を例えばランプインジケータ３と過熱インジケータ４双方の点滅表示などによって報知し（ステップＳ１２）、以上でこの図５の処理を終了して、冷却ファン８７が交換されるのを待機する。
【００９７】
このように、冷却ファン８７に経年劣化を生じる場合でも、投影動作に使用した冷却ファン８７の動作時間を計測し、管理しておくことで、プロジェクタ装置内部の温度が上昇してしまうのを未然に防止し、光源ランプ１８を確実に保護することができる。
【００９８】
加えて、上記実施の形態では、冷却ファン８７の動作時間と比較する時間値を複数設定することにより、冷却ファン８７の軽度の経年劣化にも対処し、冷却ファンがまだ使用可能である状態では供給電圧を上げることで、多少の騒音は発生するものの冷却風量は低下させない状態を維持し、冷却ファン８７が経年劣化により完全に使用できなくなると判断する最後まで投影動作を続行することができる。
【００９９】
（第２の実施の形態）  
以下本発明をプロジェクタ装置に適用した場合の第２の実施の形態について図面を参照して説明する。
【０１００】
なお、このプロジェクタ装置の使用状態での外観斜視図については上記図１と、横断平面図については上記図２と、縦断面図については上記図３と、そして主となる電子回路の機能構成については上記図４と、それぞれ基本的に同様であるものとして、同一部分には同一符号を用いてその図示と説明とを省略する。
【０１０１】
次に上記実施の形態の動作について説明する。  
図６は、電源キー２の操作により電源をオンしてからの主として冷却ファン８７の運転に関する制御処理の内容を示すもので、その制御動作は制御部８０が予め内部のＥＥＰＲＯＭ８０ａに記憶した動作プログラムに基づいて実行する。
【０１０２】
すなわち、電源キー２が操作されると制御部８０は、まずファン制御部８３により冷却ファン８７を構成する吸気ファン５８，５９、及び大風力排気ファン６２，６３，６４をそれぞれ通常運転時の定格電圧を印加して回転駆動させる一方で（ステップＳ２１）、投影駆動部７７により光源ランプ１８をこれも定格電圧を印加して発光駆動させる（ステップＳ２２）。
【０１０３】
その後、ＥＥＰＲＯＭ８０ａ内部に予め記憶しておいた、冷却ファン８７の交換時に“０（ゼロ）”となる初期値フラグの内容をチェックし（ステップＳ２３）、その初期値フラグの内容により、この電源キー２を操作しての投影動作が冷却ファン８７を交換してからの初めてのものであるか否かを判断する（ステップＳ２４）。
【０１０４】
ここで、初期値フラグの内容により、冷却ファン８７を交換してからの初めての投影動作であると判断した場合にのみ、ファン制御部８３により冷却ファン８７を構成する吸気ファン５８，５９及び大風力排気ファン６２，６３，６４の各回転状態を各ファンを回転させるモータから検出されるパルス信号により計測し（ステップＳ２５）、正常回転時の冷却ファン８７の回転数としてＥＥＰＲＯＭ８０ａに記憶設定しておく（ステップＳ２６）。
【０１０５】
なお、初期値フラグの内容が、冷却ファン８７を交換してからの初めての投影動作ではないと判断した場合には、上記ステップＳ２５，Ｓ２６の処理は行なわない。
【０１０６】
その後、冷却ファン８７を構成する個々のファンモータの回転数を実際に計測し（ステップＳ２７）、計測した回転数をＥＥＰＲＯＭ８０ａに記憶している回転数を基準として比較し、より低い値となっているか否かにより経年による劣化を生じているか否か判断する（ステップＳ２８）。
【０１０７】
ここで、冷却ファン８７の実測による回転数がＥＥＰＲＯＭ８０ａに記憶している回転数と同等であると判断した場合には、まだ冷却ファン８７を構成する個々のファンモータに経年劣化を生じていないものとして、再び上記ステップＳ２７からの処理に戻る。
【０１０８】
以後、これらステップＳ２７，Ｓ２８の動作を繰返し実行することにより、冷却ファン８７を定格の電圧値で駆動させながら、その回転数が経年劣化により低下するのを待機する。
【０１０９】
しかして、冷却ファン８７を構成する個々のファンモータの回転数のうちの少なくとも一つがＥＥＰＲＯＭ８０ａに記憶される対応する回転数より低下した場合、ステップＳ２８でこれを判断し、冷却ファン８７を構成する個々のファンモータの駆動電圧を一定値分、例えば定格電圧の５％分上昇させるような調整制御を行なった後（ステップＳ２９）、その調整により駆動電圧が予め設定された限界値、例えば定格電圧の２５％増分を超えていないことを確認した上で（ステップＳ３０）、再び上記ステップＳ２７からの処理に至る。
【０１１０】
こうして冷却ファン８７を構成する個々のファンモータの駆動電圧がその限界値を超えない範囲内で、規定の回転数を下回った場合に駆動電圧を一定値分ずつ上昇させるような調整制御を行ない、常に冷却ファン８７の回転数を維持して光源ランプ１８が確実に冷却する。
【０１１１】
しかして、冷却ファン８７の劣化により順次その駆動電圧を一定値分ずつ上昇させていった結果、その限界値を超えてしまうと直ちにステップＳ３０でこれを判断し、その時点で光源ランプ１８を消灯させて投影動作を停止すると共に（ステップＳ３１）、冷却ファン８７にエラーが生じた旨を例えばランプインジケータ３と過熱インジケータ４双方の点滅表示などによって報知し（ステップＳ３２）、以上でこの図６の処理を終了して、冷却ファン８７が交換されるのを待機する。
【０１１２】
このように、冷却ファン８７の回転数を常時モニタリングし、低下が検出された場合には順次冷却ファン８７への供給電圧を上げていくことにより、冷却ファン８７がある程度までの経年劣化を生じた場合でも装置内部の温度上昇を未然に防止し、光源ランプを確実に保護しながら投影動作を続行することができる。
【０１１３】
加えて、冷却ファン８７への供給電圧が予め設定される限界値を超えた場合には、冷却ファン８７が完全に劣化してしまったものと判断して上記光源ランプ１８への通電を停止し、光源ランプ１８を確実に保護することができる。
【０１１４】
なお、上記実施の形態では、説明を容易にするために、冷却ファン８７を構成する吸気ファン５８，５９、大風力排気ファン６２，６３，６４個々のファンモータのうちの少なくとも一つが規定の回転数より低下した場合に一律に供給電圧を一定値ずつ上昇するものとして説明したが、回転数が低下していないファンモータの駆動電圧を上昇させる必要性はないことから、現実には個々のファンモータ毎に同様の制御を行なうこととする。
【０１１５】
（第３の実施の形態）  
以下本発明をプロジェクタ装置に適用した場合の第３の実施の形態について図面を参照して説明する。
【０１１６】
なお、このプロジェクタ装置の使用状態での外観斜視図については上記図１と、横断平面図については上記図２と、縦断面図については上記図３と、そして主となる電子回路の機能構成については上記図４と、それぞれ基本的に同様であるものとして、同一部分には同一符号を用いてその図示と説明とを省略する。
【０１１７】
次に上記実施の形態の動作について説明する。  
なおこの実施の形態においては、冷却ファン８７を構成する吸気ファン５８，５９を第１グループ（図では「第１群」と称する）、大風力排気ファン６２，６３，６４を第２グループ（図では「第２群」と称する）として２つのグループに分け、グループを単位とした制御を行なう場合について説明するものである。
【０１１８】
図７は、電源キー２の操作により電源をオンしてからの主として冷却ファン８７の運転に関する制御処理の内容を示すもので、その制御動作は制御部８０が予め内部のＥＥＰＲＯＭ８０ａに記憶した動作プログラムに基づいて実行する。
【０１１９】
すなわち、電源キー２が操作されると制御部８０は、まずファン制御部８３により冷却ファン８７を構成する吸気ファン５８，５９、及び大風力排気ファン６２，６３，６４をそれぞれ通常運転時の定格電圧を印加して回転駆動させる一方で（ステップＳ４１）、投影駆動部７７により光源ランプ１８をこれも定格電圧を印加して発光駆動させる（ステップＳ４２）。
【０１２０】
その後、ＥＥＰＲＯＭ８０ａ内部に予め記憶しておいた、冷却ファン８７の交換時に“０（ゼロ）”となる初期値フラグの内容をチェックし（ステップＳ４３）、その初期値フラグの内容により、この電源キー２を操作しての投影動作が冷却ファン８７を交換してからの初めてのものであるか否かを判断する（ステップＳ４４）。
【０１２１】
ここで、初期値フラグの内容により、冷却ファン８７を交換してからの初めての投影動作であると判断した場合にのみ、ファン制御部８３により冷却ファン８７を構成する吸気ファン５８，５９及び大風力排気ファン６２，６３，６４の各回転状態を各ファンを回転させるモータから検出されるパルス信号により計測し（ステップＳ４５）、正常回転時の冷却ファン８７の回転数としてＥＥＰＲＯＭ８０ａに記憶設定しておく（ステップＳ４６）。
【０１２２】
なお、初期値フラグの内容が、冷却ファン８７を交換してからの初めての投影動作ではないと判断した場合には、上記ステップＳ４５，Ｓ４６の処理は行なわない。
【０１２３】
その後、冷却ファン８７のうち、特に第１グループ（群）を構成する吸気ファン５８，５９のファンモータの回転数を実際に計測し（ステップＳ４７）、計測した回転数をＥＥＰＲＯＭ８０ａに記憶している対応する回転数を基準として比較し、より低い値となっているか否かにより経年による劣化を生じているか否か判断する（ステップＳ４８）。
【０１２４】
ここで、第１グループを構成する吸気ファン５８，５９の実測による回転数がＥＥＰＲＯＭ８０ａに記憶している回転数と同等であると判断した場合には、まだ吸気ファン５８，５９個々のファンモータに経年劣化を生じていないものとして、再び上記ステップＳ４７からの処理に戻る。
【０１２５】
以後、これらステップＳ４７，Ｓ４８の動作を繰返し実行することにより、吸気ファン５８，５９を定格の電圧値で駆動させながら、その回転数が経年劣化により低下するのを待機する。
【０１２６】
しかして、吸気ファン５８，５９個々のファンモータの回転数のうちの少なくとも一つがＥＥＰＲＯＭ８０ａに記憶される対応する回転数より低下した場合、ステップＳ４８でこれを判断し、吸気ファン５８，５９個々のファンモータの駆動電圧を一定値分、例えば定格電圧の５％分上昇させるような調整制御を行なった後（ステップＳ４９）、その調整により駆動電圧が予め設定された限界値、例えば定格電圧の２５％増分を超えていないことを確認した上で（ステップＳ５０）、再び上記ステップＳ４７からの処理に至る。
【０１２７】
こうして第１グループの吸気ファン５８，５９個々のファンモータの駆動電圧がその限界値を超えない範囲内で、規定の回転数を下回った場合に駆動電圧を一定値分ずつ上昇させるような調整制御を行ない、常に吸気ファン５８，５９の回転数を維持して光源ランプ１８を確実に冷却する。
【０１２８】
しかして、吸気ファン５８，５９の劣化により順次その駆動電圧を一定値分ずつ上昇させていった結果、その限界値を超えてしまうと直ちにステップＳ５０でこれを判断し、とりあえず第１グループの吸気ファン５８，５９の駆動電圧を定格値に戻すようにファン制御部８３に設定した上で（ステップＳ５１）、次に第２グループ（群）を構成する大風力排気ファン６２，６３，６４を定格電圧から一定値分、例えば定格電圧の５％分上昇させるような調整制御を行なう（ステップＳ５２）。
【０１２９】
次いで、光源温度測定センサ７８からの検出温度をチェックし（ステップＳ５３）、光源ランプ１８が規定の温度を超えているか否かを判断する（ステップＳ５４）。
【０１３０】
ここで光源ランプ１８が規定の温度範囲内にある場合には何ら問題ないものとして、再び上記ステップＳ５３からの処理に戻る。
【０１３１】
以後、これらステップＳ５３，Ｓ５４の動作を繰返し実行することにより、吸気ファン５８，５９を定格の電圧値で、大風力排気ファン６２，６３，６４を定格の電圧値から一定値だけ上げた電圧でそれぞれ駆動させながら、光源ランプ１８の検出温度が規定値を超えるのを待機する。
【０１３２】
しかして、光源ランプ１８の検出温度が規定値を超えた場合、ステップＳ５４でこれを判断し、第２グループの大風力排気ファン６２，６３，６４個々のファンモータの駆動電圧をさらに一定値分、例えば定格電圧の５％分上昇させるような調整制御を行なった後（ステップＳ５５）、その調整により駆動電圧が予め設定された限界値、例えば定格電圧の２５％増分を超えていないことを確認した上で（ステップＳ５６）、再び上記ステップＳ５３からの処理に至る。
【０１３３】
こうして第１グループの吸気ファン５８，５９個々のファンモータの駆動電圧をあえて定格のままとし、その冷却風量の低下を第２グループの大風力排気ファン６２，６３，６４側の駆動電圧を徐々に上昇させることで補いながら光源ランプ１８を確実に冷却させる。
【０１３４】
しかして、大風力排気ファン６２，６３，６４の駆動電圧を一定値分ずつ上昇させていった結果、その限界値を超えてしまうと直ちにステップＳ５６でこれを判断し、それ以上は第２グループの大風力排気ファン６２，６３，６４の駆動電圧の上昇によっても補いきれないものとして、その時点で光源ランプ１８を消灯させて投影動作を停止すると共に（ステップＳ５７）、冷却ファン８７にエラーが生じた旨を例えばランプインジケータ３と過熱インジケータ４双方の点滅表示などによって報知し（ステップＳ５８）、以上でこの図７の処理を終了して、冷却ファン８７が交換されるのを待機する。
【０１３５】
このように、光源ランプの温度を常時モニタリングし、上昇が検出された場合には順次冷却ファンへの供給電圧を上げていくことにより、冷却ファンがある程度までの経年劣化を生じた場合でも装置内部の温度上昇を未然に防止し、光源ランプを確実に保護しながら投影動作を続行することができる。
【０１３６】
加えて、上記実施の形態では冷却ファン８７を構成する第１グループの吸気ファン５８，５９と第２グループの大風力排気ファン６２，６３，６４とを分けて、個々の冷却ファン毎の特性等に合わせてよりきめ細かい制御を行なうことにより、一部の冷却ファンに劣化が生じている場合でも、他の冷却ファンが発生する騒音をできる限り抑えながら、より長い時間に渡って投影動作を続行することができる。
【０１３７】
（第４の実施の形態）  
以下本発明をプロジェクタ装置に適用した場合の第４の実施の形態について図面を参照して説明する。
【０１３８】
なお、このプロジェクタ装置の使用状態での外観斜視図については上記図１と、横断平面図については上記図２と、縦断面図については上記図３と、そして主となる電子回路の機能構成については上記図４と、それぞれ基本的に同様であるものとして、同一部分には同一符号を用いてその図示と説明とを省略する。
【０１３９】
次に上記実施の形態の動作について説明する。  
図８は、電源キー２の操作により電源をオンしてからの主として冷却ファン８７の運転に関する制御処理の内容を示すもので、その制御動作は制御部８０が予め内部のＥＥＰＲＯＭ８０ａに記憶した動作プログラムに基づいて実行する。
【０１４０】
すなわち、電源キー２が操作されると制御部８０は、まずファン制御部８３により冷却ファン８７を構成する吸気ファン５８，５９、及び大風力排気ファン６２，６３，６４をそれぞれ通常運転時の定格電圧を印加して回転駆動させる一方で（ステップＳ６１）、投影駆動部７７により光源ランプ１８をこれも定格電圧を印加して発光駆動させる（ステップＳ６２）。
【０１４１】
その後、ＥＥＰＲＯＭ８０ａ内部に予め記憶しておいた、冷却ファン８７の交換時に“０（ゼロ）”となる初期値フラグの内容をチェックし（ステップＳ６３）、その初期値フラグの内容により、この電源キー２を操作しての投影動作が冷却ファン８７を交換してからの初めてのものであるか否かを判断する（ステップＳ６４）。
【０１４２】
ここで、初期値フラグの内容により、冷却ファン８７を交換してからの初めての投影動作であると判断した場合にのみ、ファン制御部８３により冷却ファン８７を構成する吸気ファン５８，５９及び大風力排気ファン６２，６３，６４の各回転状態を各ファンを回転させるモータから検出されるパルス信号により計測し（ステップＳ６５）、正常回転時の冷却ファン８７の回転数としてＥＥＰＲＯＭ８０ａに記憶設定しておく（ステップＳ６６）。
【０１４３】
なお、初期値フラグの内容が、冷却ファン８７を交換してからの初めての投影動作ではないと判断した場合には、上記ステップＳ６５，Ｓ６６の処理は行なわない。
【０１４４】
その後、冷却ファン８７を構成する吸気ファン５８，５９と大風力排気ファン６２，６３，６４の各ファンモータの回転数を実際に計測し（ステップＳ６７）、計測した回転数をＥＥＰＲＯＭ８０ａに記憶している対応するそれぞれの回転数を基準として比較し、少なくとも一つがより低い値となっているか否かにより経年による劣化を生じているか否か判断する（ステップＳ６８）。
【０１４５】
ここで、吸気ファン５８，５９及び大風力排気ファン６２，６３，６４の実測による回転数がいずれもＥＥＰＲＯＭ８０ａに記憶している回転数と同等であると判断した場合には、まだ吸気ファン５８，５９及び大風力排気ファン６２，６３，６４個々のファンモータに経年劣化を生じていないものとして、再び上記ステップＳ６７からの処理に戻る。
【０１４６】
以後、これらステップＳ６７，Ｓ６８の動作を繰返し実行することにより、冷却ファン８７を構成する吸気ファン５８，５９及び大風力排気ファン６２，６３，６４をそれぞれ定格の電圧値で駆動させながら、そのいずれかの回転数が経年劣化により低下するのを待機する。
【０１４７】
しかして、吸気ファン５８，５９及び大風力排気ファン６２，６３，６４個々のファンモータの回転数のうちの少なくとも一つがＥＥＰＲＯＭ８０ａに記憶される対応する回転数より低下した場合、ステップＳ６８でこれを判断し、吸気ファン５８，５９及び大風力排気ファン６２，６３，６４個々のファンモータの駆動電圧を一定値分、例えば定格電圧の５％分上昇させるような調整制御を行なった後（ステップＳ６９）、その調整により駆動電圧が予め設定された限界値、例えば定格電圧の２５％増分を超えていないことを確認した上で（ステップＳ７０）、再び上記ステップＳ６７からの処理に至る。
【０１４８】
こうして冷却ファン８７を構成する吸気ファン５８，５９及び大風力排気ファン６２，６３，６４個々のファンモータの駆動電圧がその限界値を超えない範囲内で、規定の回転数を下回った場合に駆動電圧を一定値分ずつ上昇させるような調整制御を行ない、常に吸気ファン５８，５９及び大風力排気ファン６２，６３，６４の回転数を維持して光源ランプ１８を確実に冷却する。
【０１４９】
しかして、吸気ファン５８，５９及び大風力排気ファン６２，６３，６４の劣化により順次その駆動電圧を一定値分ずつ上昇させていった結果、その限界値を超えてしまうと直ちにステップＳ７０でこれを判断し、冷却ファン８７を構成するいずれかのファンモータが経年劣化を生じているものとして警告出力、例えばランプインジケータ３と過熱インジケータ４双方を発光色を黄色として点滅表示させるなどによって報知し（ステップＳ７１）、併せて光源ランプ１８のへの印加電圧を許容範囲内で最も低い値に設定することで低輝度での発光駆動とし、光源ランプ１８から発生される熱量自体を低減するように設定した上で（ステップＳ７２）、冷却ファン８７を構成する吸気ファン５８，５９及び大風力排気ファン６２，６３，６４の駆動電圧をそれぞれ定格値に戻すようにファン制御部８３に設定する（ステップＳ７３）。
【０１５０】
次いで、光源温度測定センサ７８からの検出温度をチェックし（ステップＳ７４）、光源ランプ１８が規定の温度を超えているか否かを判断する（ステップＳ７５）。
【０１５１】
ここで光源ランプ１８が規定の温度範囲内にある場合には何ら問題ないものとして、再び上記ステップＳ７４からの処理に戻る。
【０１５２】
以後、これらステップＳ７４，Ｓ７５の動作を繰返し実行することにより、吸気ファン５８，５９及び大風力排気ファン６２，６３，６４をそれぞれ定格の電圧値で駆動させながら、光源ランプ１８の検出温度が規定値を超えるのを待機する。
【０１５３】
しかして、光源ランプ１８の検出温度が規定値を超えた場合、ステップＳ７５でこれを判断し、吸気ファン５８，５９及び大風力排気ファン６２，６３，６４個々のファンモータの駆動電圧を一定値分、例えば定格電圧の５％分上昇させるような調整制御を行なった後（ステップＳ７６）、その調整により駆動電圧が予め設定された限界値、例えば定格電圧の２５％増分を超えていないことを確認した上で（ステップＳ７７）、再び上記ステップＳ７４からの処理に至る。
【０１５４】
こうして光源ランプ１８を低輝度発光させることで発熱量自体を抑えながら、吸気ファン５８，５９及び大風力排気ファン６２，６３，６４の駆動電圧を徐々に上昇させることで光源ランプ１８を確実に冷却させる。
【０１５５】
しかして、吸気ファン５８，５９及び大風力排気ファン６２，６３，６４の駆動電圧を一定値分ずつ上昇させていった結果、その限界値を超えてしまうと直ちにステップＳ７７でこれを判断し、それ以上は吸気ファン５８，５９及び大風力排気ファン６２，６３，６４の駆動電圧の上昇によっても補いきれないものとして、その時点で光源ランプ１８を消灯させて投影動作を停止すると共に（ステップＳ７８）、冷却ファン８７にエラーが生じた旨を例えばランプインジケータ３と過熱インジケータ４双方の赤色による点滅表示などによって報知し（ステップＳ７９）、以上でこの図８の処理を終了して、冷却ファン８７が交換されるのを待機する。
【０１５６】
このように、冷却ファン８７を構成する個々のファンへの供給電圧が予め設定される限界値を超えた場合には、冷却ファンが劣化してしまったものと判断して光源ランプ１８の発光輝度を低下させ、この光源ランプ１８で発生される熱量を大幅に低減させることで、冷却能力の低下に光源ランプ１８を合わせて光源ランプ１８を保護しながらも投影動作を続行することができる。
【０１５７】
なお、上記第１乃至第４の実施の形態は、いずれもマイクロミラー表示素子２８を用いた方式のプロジェクタ装置に適用した場合について説明したものであるが、本発明はこれに限るものではなく、透過型のカラー液晶パネルを表示素子として使用する液晶プロジェクタ装置等にも同様に適用可能であることは勿論である。
【０１５８】
その他、本発明は上記実施の形態に限らず、その要旨を逸脱しない範囲内で種々変形して実施することが可能であるものとする。
【０１５９】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１６０】
【図１】本発明の第１の実施の形態に係るプロジェクタ装置の外観構成を示す斜視図。
【図２】同実施の形態に係るプロジェクタ装置の横断平面図。
【図３】同実施の形態に係る図２のIII−III線に沿ったプロジェクタ装置の縦断面図。
【図４】同実施の形態に係る電子回路の機能構成を示すブロック図。
【図５】同実施の形態に係る電源オン時の冷却ファンの運転制御の処理内容を示すフローチャート。
【図６】本発明の第２の実施の形態に係る電源オン時の冷却ファンの運転制御の処理内容を示すフローチャート。
【図７】本発明の第３の実施の形態に係る電源オン時の冷却ファンの運転制御の処理内容を示すフローチャート。
【図８】本発明の第４の実施の形態に係る電源オン時の冷却ファンの運転制御の処理内容を示すフローチャート。
【符号の説明】
【０１６１】
１…プロジェクタケース、２…電源キー、３…ランプインジケータ、４…過熱インジケータ、５…自動画質調整キー、６…静音モード設定キー、７…パワー／スタンバイインジケータ、１０…リモコン受信部、１５…ロッド脚、１７…光源装置、１８…光源ランプ、１９…ガラスバルブ、２１…リフレクタ、２２…モータ、２４…防爆ガラス、２５…防爆カバー、２８…マイクロミラー表示素子、２９…光源側光学系、３０…カラーホイール、３２…カラーホイール回転モータ、３３…導光ロッド、３４，３５…光源側レンズ、３７…ミラー、３８…光源側ハウジング、４３…カバーガラス、４４…中継レンズ、４５…投影レンズ、５２…電源系回路基板、５８，５９…吸気ファン、６２〜６４…大風力排気ファン、７１…入出力コネクタ部、７２…入出力インタフェース、７３…画像変換部、７４…投影エンコーダ、７５…ビデオＲＡＭ、７６…投影処理部、７７…投影駆動部、７８…光源温度測定センサ、８０…制御部、８０ａ…ＥＥＰＲＯＭ、８１…インジケータ部、８２…音声処理部、８３…ファン制御部、８４…スピーカ、８５…キースイッチ部、８６…Ｉｒ受信部、８７…冷却ファン、ＳＢ…システムバス、Ｗ…冷却風。
【図１】
2007093880.tif 000003
【図２】
2007093880.tif 000004
【図３】
2007093880.tif 000005
【図４】
2007093880.tif 000006
【図５】
2007093880.tif 000007
【図６】
2007093880.tif 000008
【図７】
2007093880.tif 000009
【図８】
2007093880.tif 000010